(57)【要約】  表示用具１０は、スポーツのプレー時に着用される。この用具は、平面状の織物材料ピース１６の形態の第１の部品１２を備え、第１の部品１２にはデカールを施してもよい。１本の織物テープ２４の形態の第２の部品１４が設けられ、第２の部品１４は、第１の部品１２にある長穴２０に通されて、人の脚に用具１０を保持するようにループにすることができる。【選択図】図１
2017538168.tif 000002
【特許請求の範囲】
【請求項１】
スポーツのプレー時に着用される表示用具であって、
少なくとも概ね平面状であって、かつ、画像又は他の装飾を呈することができる第１の部品と、
柔軟で長く延び、かつ、前記第１の部品を支持することができるとともに、選手の下肢の周りに延びて選手の下肢に取り付けられるようにループにすることができる第２の部品と、を備える表示用具。
【請求項２】
前記第２の部品には、該第２の部品がループになっている場合に該第２の部品から外側に延出するつまみ部が設けられ、
前記つまみ部は、引っ張られることで前記ループを解いて開き、該表示用具を選手から取り外すことを可能にする請求項１に記載の表示用具。
【請求項３】
前記第２の部品の一端部には第１の係合部が設けられ、少なくとも前記第２の部品の他方の第２の端部側には第２の係合部が設けられ、
前記第１の係合部と前記第２の係合部とは、前記第２の部品をループにするように互いに係合可能である請求項１又は２に記載の表示用具。
【請求項４】
前記つまみ部は、前記第２の部品の前記第２の端部に設けられている請求項２を引用する請求項３に記載の表示用具。
【請求項５】
前記つまみ部は、前記第２の端部において前記第２の係合部を超えて設けられている求項４に記載の表示用具。
【請求項６】
前記つまみ部は、その２倍の厚さのつまみ部を提供するように折り畳まれて一つに合わされて前記第２の部品の前記第２の端部の形態をとる、請求項４又は５に記載の用具。
【請求項７】
前記第１の係合部及び前記第２の係合部は、フリース面ファスナーでできたそれぞれの係合ストリップによって提供される、請求項１〜６のいずれか１項に記載の用具。
【請求項８】
前記第１の係合ストリップ及び前記第２の係合ストリップは、前記第２の部品のそれぞれ反対の側に配されている、請求項７に記載の用具。
【請求項９】
前記第２の部品は、或る長さの織物材料の形態である、請求項１〜８のいずれか１項に記載の用具。
【請求項１０】
前記第２の部品は、テープの形態である、請求項９に記載の用具。
【請求項１１】
前記織物材料は、限られた量の伸長率を有する、請求項９又は１０に記載の用具。
【請求項１２】
前記伸長率は、５％〜２０％である、請求項１１に記載の用具。
【請求項１３】
前記伸長率は、８％〜１６％である、請求項１２に記載の用具。
【請求項１４】
前記第２の部品の前記材料の前記伸長率は、前記第２の部品の前記材料に複数回の熱収縮をかけることによってもたらされる、請求項１１〜１３のいずれか１項に記載の用具。
【請求項１５】
前記第２の部品は、ポリエステルで作製される、請求項９〜１４のいずれか１項に記載の用具。
【請求項１６】
前記第２の部品は、ポリエステルと綿との混紡で作製される、請求項９〜１４のいずれか１項に記載の用具。
【請求項１７】
前記第１の部品は、１対の離間した開口を有し、前記第２の部品は、該第２の部品がループになっている場合に該第２の部品に前記第１の部品が保持されるように、前記開口に挿通することができる、請求項１〜１６のいずれか１項に記載の用具。
【請求項１８】
前記第１の部品は、柔軟な織物材料で作製される、請求項１〜１７のいずれか１項に記載の用具。
【請求項１９】
前記第１の部品は、ポリエステルで作製される、請求項１８に記載の用具。
【請求項２０】
前記第１の部品は、ポリエステルと綿との混紡で作製される、請求項１８に記載の用具。
【請求項２１】
前記第１の部品は、使用時、前記用具の着用者に概ね当接するように構成されている、請求項１〜２０のいずれか１項に記載の用具。
【請求項２２】
前記第１の部品にはデカールが施されている、請求項１〜２１のいずれか１項に記載の用具。
【請求項２３】
前記デカールは、該表示用具の着用者個人に合わせてカスタマイズされている、請求項２２に記載の用具。
【請求項２４】
前記デカールは、熱転写物である、請求項２３又は２４に記載の用具。
【請求項２５】
セキュリティマークが設けられている、請求項１〜２４のいずれか１項に記載の用具。
【請求項２６】
前記セキュリティマークは、裸眼では実質的に視認可能でない、請求項１〜２５のいずれか１項に記載の用具。
【請求項２７】
前記セキュリティマークは、レーザーを用いて視認可能でない、請求項２６に記載の用具。
【請求項２８】
添付の図面を参照しながら明細書に実質的に記載されている表示用具。
【請求項２９】
請求項１〜２８のいずれか１項に記載の同一発明の範囲内にあるか否か又は同一発明に関するか否かに関わらず、本書に開示されている新規の主題を含む新規の主題又は組合せ。
【発明の詳細な説明】
【技術分野】
【０００１】
本発明は、表示用具に関し、限定はしないが特に、スポーツ、特にフットボールのプレー時に着用することができる表示用具に関する。
【背景技術】
【０００２】
スポーツ、特にプロフットボールでは、観客、特にテレビでフットボールの試合を観戦している観客が視認することができる広告、スポンサーシップ又は他のエンドースメント（保証宣伝）を身に付けることができるように、可能な限り多くのスペースを選手の衣服に与えることが商業的に望ましい。
【発明の概要】
【０００３】
本発明によれば、少なくとも概ね平面状の第１の部品であって、画像又は他の装飾を呈することができる第１の部品と、柔軟で細長い第２の部品であって、前記第１の部品を支持することができるとともに、選手の下肢の周りに延びて選手の下肢に取り付けられるようにループにすることができる第２の部品とを備える、スポーツのプレー時に着用される表示用具が提供される。
【０００４】
前記第２の部品には、該第２の部品がループになっている場合に該第２の部品から外側に延出するつまみ部を設けることができ、前記つまみ部を引っ張ることで前記ループを解いて開き、該表示用具を選手から取り外すことを可能にする。
【０００５】
前記第２の部品の一端部には第１の係合部を設けることができ、少なくとも前記第２の部品の他方の第２の端部側には第２の係合部が設けられ、前記第１の係合部と前記第２の係合部とは、前記第２の部品をループにするように互いに係合可能である。
【０００６】
前記つまみ部は、前記第２の部品の前記第２の端部に設けることができ、前記第２の端部において前記第２の係合部を超えて設けることができる。前記つまみ部は、その２倍の厚さのつまみ部を提供するように折り畳まれて一つに合わされて前記第２の部品の前記第２の端部の形態となることができる。
【０００７】
前記第１の係合部及び前記第２の係合部は、フリース面ファスナー（fleece and hook fastener）でできたそれぞれの係合ストリップによって提供することができ、前記ストリップは、前記第２の部品のそれぞれ反対の側に配することができる。
【０００８】
前記第２の部品は、或る長さの織物材料の形態とすることができ、前記第２の部品は、テープの形態とすることができ、前記材料は、限られた量の伸長率を有することができ、前記伸長率は、５％〜２０％とすることができ、また８％〜１６％とすることができる。
【０００９】
前記第２の部品の前記材料の前記伸長率は、前記第２の部品の前記材料に複数回の熱収縮をかけることによってもたらすことができる。
【００１０】
前記第２の部品は、ポリエステル又はポリエステルと綿との混紡で作製することができる。
【００１１】
前記第１の部品は、１対の離間した開口を有することができ、前記第２の部品は、該第２の部品がループになっている場合に該第２の部品に前記第１の部品が保持されるように、前記開口に挿通することができる。
【００１２】
前記第１の部品は、柔軟な織物材料で作製することができ、ポリエステル又はポリエステルと綿との混紡で作製することができる。
【００１３】
前記第１の部品は、使用時、前記用具の着用者に概ね当接するように構成することができる。
【００１４】
前記第１の部品にはデカール（decal）を施すことができ、前記デカールは、該表示用具の着用者個人に合わせてパーソナライズすることができる。前記デカールは、熱転写物（heat press transfer）とすることができる。
【００１５】
前記用具にはセキュリティマークを設けることができる。
【００１６】
前記セキュリティマークは、裸眼では実質的に視認可能でないものとすることができ、その一方、レーザーを用いて視認可能なものとすることができる。
【００１７】
以下、単に例として、添付の図面を参照しながら本発明の一実施形態を記載する。
【図面の簡単な説明】
【００１８】
【図１】フットボール選手によって着用される、本発明に係る１対の表示用具の背面斜視図である。
【図２】図１の用具のうちの一方の第１の部品の斜視図である。
【図３】図１の用具のうちの一方の第２の部品の平面図である。
【発明を実施するための形態】
【００１９】
図面は、第１の部品１２と第２の部品１４とを備える表示用具１０を示している。第１の部品１２は、平面状の織物材料ピース１６を含む。織物材料ピース１６は、この例では概ね盾の形であるが、他の形を用いてもよい。ピース１６の周囲には、リブ状縁部１８が設けられている。第１の部品１２にはデカールを施してもよい。デカールは、表示用具の着用者個人に合わせてカスタマイズしてもよく、例えば着用者の名前及び／又は背番号等を含んでもよい。デカールは、熱転写物としてもよい。
【００２０】
離間した１対の縦に延在する長穴２０が、ピース１６の頂部側に設けられており、これらの長穴２０は、互いに離間して同じ高さにあり、互いに平行である。第１の部品１２は、図１に示すように、第１の部品が概ね選手の脚２２に対して実質的にぴったり当接するような材料でできている。第１の部品１２の外面は、広告、スポンサーシップ又はエンドースメント要素等を呈することができる。第１の部品１２は、例えば、ポリエステル又はポリエステルと綿との混紡で作製することができる。
【００２１】
第２の部品１４は、１本の織物テープ２４を含む。このテープ２４は、ポリエステル又はポリエステルと綿との混紡で作製することができる。テープ２４の材料は、複数回の熱収縮を経ることにより、最大伸長率（maximum stretch）が８％〜１６％となっている。これによって、運動時の選手の筋肉の膨張に対応することができる。
【００２２】
図３に鑑みると、テープ２４は、テープ２４の第１の端部からその長さの一部に延在する第１の長さのフリース面ファスナー２６を有する。図３に示すように、第１の端部は左端部であり、第１の長さのフリース面ファスナー２６は、テープ２４の裏側に配されている。
【００２３】
また、テープ２４は、第１の長さのフリース面ファスナー２６よりも長い中央部２８と、次に、第１の長さのフリース面ファスナー２６と協働可能な第２の長さのフリース面ファスナー３０とを有する。第２の長さのフリース面ファスナー３０は、図３に示すようにテープ２４の表側に配されており、第１の長さのフリース面ファスナー２６と同様の長さである。
【００２４】
図３に示すように、テープ２４の右側の第２の端部には、折り畳まれてそれ自体に取り付けられてテープ２４の第２の端部の形態のつまみ部３２が設けられている。つまみ部３２は、第１の長さのフリース面ファスナー２６及び第２の長さのフリース面ファスナー３０よりも短い長さだけ延在する。
【００２５】
使用時、第２の部品１４は、第１の部品１２にある長穴２０に通すことができ、第２の部品１４は、選手の脚２２の周りに延び、第１の長さのフリース面ファスナー２６と第２の長さのフリース面ファスナー３０とを係合させることによってループにすることができる。第２の部品１４は、選手にとって快適な長さのループにすることができ、例えばフットボールの試合中に選手の筋肉が膨張した際、熱収縮により形成された第２の部品１４に付与されている伸長率によって、この筋肉の膨張に満足に対応することができる。
【００２６】
第１の部品１２は、図示のように選手の脚２２の外側に着用されることで、広告、スポンサーシップ等のための価値あるスペースを提供することができる。例えば選手が怪我をしたときに、表示用具１０の取り外しが求められる場合、それぞれのつまみ部３２を引っ張ることによって、第２の部品１４のループを容易に解くことができる。用具１０を再び取り付けることが求められるとき、第２の部品１４を再びループにすることができることが明らかである。図１に示すように、第２の部品１４は、着用者のフットボール用長靴下３４を支持するように使用することもできる。
【００２７】
第１の部品及び／又は第２の部品には、セキュリティ表示を設けてもよく、セキュリティ表示は、例えば、裸眼では視認可能でないが、例えばレーザーを用いて検出することができるセキュリティヤーン（security yarn）によって提供することができる。この特徴部は、信頼できるマーチャンダイジングを確認するために用いることができる。
【００２８】
こうして、例えばテレビ視聴者が、特に例えば選手がボールをキックする時、タックルする時等に視認することができる更なるスポンサーエリアを提供しながら、広告、スポンサーシップ又はエンドースメント要素を選手が快適に身に付けることを可能にする表示用具が描写された。
【００２９】
本発明の範囲から逸脱することなく、様々な変更を行うことができる。例えば、第１の部品は、複数の異なる形態又は形状としてもよく、異なる材料で作製することができる。第２の部品は、第１の部品と異なる方法で係合することができ、第１の部品は、例えば、第２の部品が挿通することができるスリーブを含むことができる。第２の部品は異なる形態としてもよく、異なる係合手段を第２の部品に設けることができる。つまみ部も異なる形態とすることができる。
【００３０】
上記の詳細な説明では、特に重要であると考えられる本発明の特徴に注目するよう努めたが、本出願人は、特に強調されたか否かに関わらず、上記で言及された及び／又は図面に示されたいかなる特許性のある特徴又は特徴の組合せに関しても保護を主張することが理解されるべきである。
【図１】
2017538168.tif 000003
【図２】
2017538168.tif 000004
【図３】
2017538168.tif 000005
【国際調査報告】
2017538168.tif 000006
2017538168.tif 000007
2017538168.tif 000008
2017538168.tif 000009
2017538168.tif 000010
2017538168.tif 000011